(57)【要約】【課題】ユーザ入力に応じたより利便性の高い表示を可能とする。【解決手段】実施形態に係る表示装置は、ユーザ入力に応じた文字列の取得が予め定められた第１の時間以上停止した場合に、取得された第１の文字列から導き出される関連情報を示す第２の文字列を取得し、取得した第２の文字列を表示部の表示領域に表示させる。表示装置は、表示部に表示された第２の文字列を、表示が開始してから長くても予め定められた第２の時間を経過するまでに表示領域から消去する。【選択図】図３
2015138468.tif 000002
【特許請求の範囲】
【請求項１】
ユーザ入力に応じた文字列を取得する第１の取得部と、
前記第１の取得部による前記文字列の取得が予め定められた第１の時間以上停止した場合に、前記第１の取得部により取得された第１の文字列から導き出される第２の文字列を取得する第２の取得部と、
前記第２の取得部で取得した前記第２の文字列を表示部の表示領域に表示させ、表示された該第２の文字列を、表示が開始してから長くても予め定められた第２の時間を経過するまでに該表示領域から消去する表示制御部と
を有する
ことを特徴とする表示装置。
【請求項２】
前記表示制御部は、
前記第２の文字列を、前記表示領域内で移動させながら表示させる
ことを特徴とする請求項１に記載の表示装置。
【請求項３】
前記表示制御部は、
前記第２の文字列を、前記表示領域内の第１の辺から該第１の辺に対向する第２の辺に向けて移動させながら表示させる
ことを特徴とする請求項１に記載の表示装置。
【請求項４】
前記表示制御部は、
前記第２の文字列を、蛇行して移動させながら表示させる
ことを特徴とする請求項１乃至請求項３の何れか１項に記載の表示装置。
【請求項５】
前記表示制御部は、
前記第２の文字列を、予め定められた背景画像を伴って表示させる
ことを特徴とする請求項１乃至請求項４の何れか１項に記載の表示装置。
【請求項６】
前記表示制御部は、
前記第２の文字列を、前記表示領域の下端側から上端側に向けて移動させる
ことを特徴とする請求項２乃至請求項５の何れか１項に記載の表示装置。
【請求項７】
前記第２の取得部は、
前記第１の文字列をネットワークに向けて送信し、該第１の文字列に応じて該ネットワークから送信された前記第２の文字列を取得する
ことを特徴とする請求項１乃至請求項６の何れか１項に記載の表示装置。
【請求項８】
前記第２の取得部は、
前記表示制御部により１の第２の文字列が前記表示部から消去された場合に、前記ネットワークに向けて１の第２の文字列を要求する
ことを特徴とする請求項７に記載の表示装置。
【請求項９】
ユーザ操作を受け付ける操作部をさらに有し、
前記表示制御部は、
前記ユーザ操作により移動中の前記第２の文字列が指定された場合に、指定された該第２の文字列を前記表示領域内の予め定められた位置に固定して表示させる
ことを特徴とする請求項２乃至請求項８の何れか１項に記載の表示装置。
【請求項１０】
前記表示制御部は、
前記予め定められた位置に固定して表示された第２の文字列が前記ユーザ操作により指定された場合に、該第２の文字列を前記表示領域内で移動させて表示させる
ことを特徴とする請求項９に記載の表示装置。
【請求項１１】
ユーザ入力に応じた文字列を取得する第１の取得ステップと、
前記第１の取得ステップによる前記文字列の取得が予め定められた第１の時間以上停止した場合に、前記第１の取得ステップにより取得された第１の文字列から導き出される第２の文字列を取得する第２の取得ステップと、
前記第２の取得ステップにより取得した前記第２の文字列を表示部の表示領域に表示させ、表示された該第２の文字列を、表示が開始してから長くても予め定められた第２の時間を経過するまでに該表示領域から消去する表示制御ステップと
を有する
ことを特徴とする表示方法。
【請求項１２】
ユーザ入力に応じた文字列を取得する第１の取得ステップと、
前記第１の取得ステップによる前記文字列の取得が予め定められた第１の時間以上停止した場合に、前記第１の取得ステップにより取得された第１の文字列から導き出される第２の文字列を取得する第２の取得ステップと、
前記第２の取得ステップにより取得した前記第２の文字列を表示部の表示領域に表示させ、表示された該第２の文字列を、表示が開始してから長くても予め定められた第２の時間を経過するまでに該表示領域から消去する表示制御ステップと
をコンピュータに実行させるための表示プログラム。
【請求項１３】
表示装置と情報処理システムとを含む情報表示システムであって、
前記情報処理システムは、
前記表示装置から送信された第１の文字列に応じて、該文字列から導き出される第２の文字列を取得し、取得した該第２の文字列を該表示装置に送信する関連情報取得部を備え、
前記表示装置は、
ユーザ入力に応じた文字列を取得する第１の取得部と、
前記第１の取得部による文字列の取得が予め定められた第１の時間以上停止した場合に、前記第１の取得部に取得された前記第１の文字列を前記情報処理システムに送信し、送信された該第１の文字列に応じて該情報処理システムから送信された前記第２の文字列を取得する第２の取得部と、
前記第２の取得部で取得した前記第２の文字列を表示部の表示領域に表示させ、表示された該第２の文字列を、表示が開始してから長くても予め定められた第２の時間を経過するまでに該表示領域から消去する表示制御部と
を備える
ことを特徴とする情報表示システム。
【発明の詳細な説明】
【技術分野】
【０００１】
本発明は、ユーザ入力に応じて情報を表示する表示装置、表示方法および表示プログラム、ならびに、情報表示システムに関する。
【背景技術】
【０００２】
従来、ユーザにより入力されたキーワードや文章に基づき、当該キーワードや文章に関連する情報を提示する技術が知られている。例えば、単語について、同義語、意味上の類似関係、包含関係などで分類した辞書であるシソーラスを用いた関連情報検索が知られている。また例えば、特許文献１には、キーワードや図表などのポインタがテキスト中に埋め込まれ、このポイントを指定することで、ポインタに示されるキーワードや図表を参照可能としたハイパーテキストを用いて、関連情報を検索する技術が開示されている。
【０００３】
このような関連情報検索は、入力されたキーワードに対し、単に同義語、類似語や、当該キーワードに関連する他の情報を取得するために用いられるのに留まらず、ユーザの発想を促す効果を得ることも可能である。例えば、入力されたキーワードに関連し且つ異なる文言を見ることで、ユーザが新たな発想を得ることが期待できる。
【発明の概要】
【発明が解決しようとする課題】
【０００４】
従来では、キーワードに基づき取得された各関連情報は、テキスト表示を用いたリストとしてユーザに提示されており、入力中の文字列などの他のテキスト表示に対して必ずしも優位に表示されているとは限らなかった。そのため、取得された各関連情報によるユーザへの発想促進の効果も、限定的なものとなってしまうおそれがあった。
【０００５】
また、取得した各関連情報をリスト化して提示した場合、各関連情報を任意の順序でリスト化した場合であっても各関連情報間に順序性が発生してしまい、必ずしも発想の助けにならないおそれがあった。すなわち、ユーザは、リストの上位に提示された関連情報ほど優先度が高い情報であると認識する傾向があると考えられ、この優先度によりユーザの発想が硬直してしまう可能性がある。
【０００６】
本発明は、上記を鑑みてなされたものであって、ユーザ入力に応じたより利便性の高い表示を可能とすることを目的とする。
【課題を解決するための手段】
【０００７】
上述した課題を解決し、目的を達成するために、本発明は、ユーザ入力に応じた文字列を取得する第１の取得部と、第１の取得部による文字列の取得が予め定められた第１の時間以上停止した場合に、第１の取得部に取得された第１の文字列から導き出される第２の文字列を取得する第２の取得部と、第２の取得部で取得した第２の文字列を表示部の表示領域に表示させ、表示された第２の文字列を、表示が開始してから長くても予め定められた第２の時間を経過するまでに表示領域から消去する表示制御部とを有することを特徴とする。
【発明の効果】
【０００８】
本発明によれば、ユーザ入力に応じたより利便性の高い表示が可能となる。
【図面の簡単な説明】
【０００９】
【図１】図１は、実施形態に係る情報表示システムの一例の構成を示すブロック図である。
【図２】図２は、実施形態に係る表示端末の表示部に表示される画面の一例を示す図である。
【図３】図３は、実施形態に係る表示端末におけるバルーン表示の例についてより具体的に説明するための図である。
【図４】図４は、実施形態に係る表示端末におけるバルーン表示の例についてより具体的に説明するための図である。
【図５】図５は、実施形態に係るバルーンの軌跡の例を示す図である。
【図６】図６は、実施形態に係る表示端末の機能を示す一例の機能ブロック図である。
【図７】図７は、実施形態に係るサーバの機能を示す一例の機能ブロック図である。
【図８】図８は、実施形態に係る情報表示システムの一例の動作を示すシーケンスチャートである。
【図９】図９は、実施形態に係る表示端末の表示制御部におけるバルーン表示処理についてより詳細に説明するためのフローチャートである。
【図１０】図１０は、実施形態に係る表示端末の表示制御部におけるバルーン表示処理についてより詳細に説明するためのフローチャートである。
【図１１】図１１は、実施形態に係る表示端末の表示制御部におけるバルーン表示処理についてより詳細に説明するためのフローチャートである。
【図１２】図１２は、実施形態に係る表示端末の表示制御部におけるバルーン表示処理についてより詳細に説明するためのフローチャートである。
【図１３】図１３は、実施形態に適用可能な表示端末の一例の構成を示すブロック図である。
【発明を実施するための形態】
【００１０】
以下に添付図面を参照して、表示装置、表示方法および表示プログラム、ならびに、情報表示システムの実施形態を詳細に説明する。図１は、実施形態に係る情報表示システムの一例の構成を示す。図１において、情報表示システム１は、互いにネットワークにより接続された表示端末１０とサーバ２０とを含む。
【００１１】
表示端末１０は、例えばパーソナルコンピュータであり、例えばＣＰＵ(Central  Processing  Unit)、ＲＯＭ(Read  Only  Memory)、ＲＡＭ(Random  Access  Memory)、ストレージ装置（例えばハードディスクドライブ）を有する。例えば、ＣＰＵは、ストレージ装置やＲＯＭに予め記憶されたプログラムに従い、ＲＡＭをワークメモリとして動作して、表示端末１０の全体の動作を制御する。表示端末１０は、情報を表示する表示部と、ユーザ入力を受け付ける入力部とを備え、ＣＰＵ上で動作するプログラムにより、表示部に対する表示や、入力部に対するユーザ入力が制御される。
【００１２】
サーバ２０は、例えばネットワーククラウド上に構成される情報処理システムである。ネットワーククラウドは、互いにネットワークで接続される複数のコンピュータを含み、外部からは、その内部が隠蔽されたブラックボックスとして入出力のみが示されるネットワーク・グループである。ネットワーククラウドにおいて、１以上のコンピュータにより、情報処理システムとしてサーバ２０が構成される。勿論、サーバ２０は、ネットワーククラウド上の構成に限られず、例えば１台のコンピュータにより構成してもよいし、互いにネットワーク接続された複数台のコンピュータが協働して動作する情報処理システムより構成してもよい。
【００１３】
なお、関連情報検索サービス３０は、実際には１以上のコンピュータにより構成されるシステムであって、サーバ２０と例えばインターネットなどのネットワークを介して接続される。関連情報検索サービス３０は、受信された単語から導き出される情報を関連情報として取得する。例えば、関連情報検索サービス３０は、受信された単語に基づきインターネット上の情報を検索し、当該単語に関連する関連情報と、当該関連情報が格納されるＵＲＬ(Uniform  Resource  Locator)とを取得する。これら関連情報およびＵＲＬは、受信された単語と共に、当該単語の送信元に送信される。
【００１４】
このような構成において、ユーザによる表示端末１０の入力部に対する文字入力操作に応じて表示端末１０により文字列が取得され、取得された文字列が表示端末１０の表示部に表示される。表示端末１０は、文字列の取得が所定時間（例えば５秒）途切れたことを検出すると、例えば最後に取得された文字列をネットワークを介してサーバ２０に送信する。
【００１５】
サーバ２０は、表示端末１０からの文字列を受信すると、例えば形態素解析を用いて受信した文字列から単語を抽出する。サーバ２０は、抽出した単語を、キーワードとして関連情報検索サービス３０に送信する。
【００１６】
関連情報検索サービス３０は、サーバ２０からのキーワードを受信すると、受信したキーワードに関連する関連情報を検索する。一例として、関連情報検索サービス３０は、インターネット上に多数存在するブログ文書から、キーワードを含む文書を検索し、検索されたブログ文書から、キーワードに関連する関連情報として単語や文章を抽出する。例えば、関連情報検索サービス３０は、キーワードをハイパーリンク文字列として含むブログ文書を検索し、検索されたブログ文書から、当該ブログ文書に含まれるハイパーリンク文字列をさらに検出する。関連情報検索サービス３０は、このようにして検出されたハイパーリンク文字列を、関連情報として用いることができる。
【００１７】
なお、ハイパーリンク文字列とは、他の文書やデータへのリンク情報が埋め込まれた文字列であり、ハイパーリンク文字列を含む文書を、ハイパーテキスト文書と呼ぶ。上述したブログ文書も、ハイパーリンク文字列を含んでいれは、ハイパーテキスト文書となる。
【００１８】
関連情報検索サービス３０は、関連情報として検出したハイパーリンク文字列に参照される文書をさらに参照し、参照先の文書からさらにハイパーリンク文字列を関連情報として追加して検出してもよい。これに限らず、関連情報検索サービス３０は、参照先の文書に含まれる、ハイパーリンク文字列と異なる単語を関連情報として検出してもよい。
【００１９】
関連情報検索サービス３０は、サーバ２０からのキーワードに応じて上述のようにして検索した関連情報をサーバ２０に送信する。ここで、関連情報検索サービス３０は、関連情報に、当該関連情報が含まれる文書のＵＲＬを示す情報を付加してサーバ２０に送信することができる。
【００２０】
サーバ２０は、関連情報検索サービス３０からの関連情報を受信すると、関連情報から単語を抽出して記憶する。サーバ２０は、関連情報から複数の単語が抽出された場合には、これら複数の単語を記憶する。サーバ２０は、表示端末１０から単語の要求を受信すると、記憶した単語から例えばランダムに１の単語を選択して、表示端末１０に送信する。
【００２１】
表示端末１０は、要求に応じてサーバ２０から送信された単語を表示部に表示させる。このとき、表示端末１０は、単語を、例えば表示部の表示領域の下端から出現させ、上端に向けて所定の速度および軌道で移動させながら表示させる。表示端末１０は、表示領域の上端に達した単語をそのまま表示領域外に移動させ、表示領域から消去されるように表示制御する。この場合、単語は、表示部において、表示領域の高さと単語の移動速度とから決まる時間だけ表示されることになる。表示端末１０は、１の単語が表示領域外に移動され表示領域内から消去されると、次の単語をサーバ２０に要求する。
【００２２】
さらに、表示端末１０は、単語を所定の背景画像を伴わせて表示させる。例えば、表示端末１０は、所定の形状、且つ、内部が半透明または不透明に塗り潰されたプレート状の背景画像上の所定位置に単語を表示させ、この背景画像上の所定位置に単語が表示された状態で、背景画像ごと単語を移動させる。
【００２３】
実施形態の情報表示システムでは、このように、表示端末１０に入力された文字列に応じた関連情報として取得された単語を、表示端末１０における表示部の表示領域内に、移動させながら表示させる。これにより、ユーザ入力に応じたより利便性の高い表示が可能となる。すなわち、ユーザは、入力した文字列に対する関連情報を、表示部に表示される他のテキスト表示などに対して高い優先度で認識することができ、より効果的に発想促進がなされることが期待される。
【００２４】
なお、図１では、実施形態に係る情報表示ステム１において、表示端末１０と、サーバ２０と、関連情報検索サービス３０とがそれぞれ独立した構成として示されているが、これはこの例に限定されない。例えば、情報表示システム１において、サーバ２０が関連情報検索サービス３０の機能を含むようにしてもよい。また例えば、情報表示システム１において、表示端末１０が、サーバ２０の機能と関連情報検索サービス３０の機能とを含むように構成することもできる。
【００２５】
図２〜図５を用いて、実施形態に係る表示端末１０における関連情報の表示方法について、より具体的に説明する。図２は、実施形態に係る表示端末１０の表示部に表示される画面の一例を示す。この図２に示される画面は、表示端末１０に搭載される、実施形態に係る表示プログラムに従ったＣＰＵの動作により表示される。
【００２６】
図２において、全体表示領域３００は、第１の表示領域３０１と第２の表示領域３０３とを含む。第１の表示領域３０１は、ユーザにより入力された文字列が表示される。図２の例では、第１の表示領域３０１の上端部に、表示端末１０の機能を切り替えるためのタブ３０２ａおよび３０２ｂが設けられている。
【００２７】
第１の表示領域３０１は、ユーザに入力された文字による文字列３１０が表示される。また、第１の表示領域３０１に対して、単語３２１が、所定の形状の背景画像を伴って表示される。以下、この単語３２１と、単語３２１に伴って表示される背景画像とを、纏めてバルーン３２０と呼ぶ。図２の例では、第１の表示領域３０１は、複数のバルーン３２０および３２０’がそれぞれ表示されている。バルーン３２０’は、単語３２１’が表示されている。各バルーン３２０および３２０’は、表示端末１０に指定された座標に従い表示部に表示される。
【００２８】
図２の例では、第１の表示領域３０１内に表示されるバルーン３２０および３２０’は、当該第１の表示領域３０１内を、下端側から上端側に向けて所定の速度でそれぞれ移動する。また、バルーン３２０が既に表示されている文字列３１０と重なる場合には、バルーン３２０の表示が文字列３１０の表示に対してオーバーラップされる。
【００２９】
さらに、図２の例では、第２の表示領域３０３の所定位置に対して、単語３２１”を含むバルーン３２０”が表示されている。詳細は後述するが、バルーン３２０”は、元は第１の表示領域３０１内に移動しながら表示されていたもので、表示端末１０に対するユーザ操作により指定されたことで、第１の表示領域３０１から第２の表示領域３０３の所定位置に移動され、当該所定位置に位置を固定されて表示された固定バルーンである。
【００３０】
なお、各バルーン３２０、３２０’および３２０”のサイズは、例えば表示端末１０の表示部のサイズに従い予め設定される。また、表示部に表示可能なバルーン数を、当該表示部のサイズに従い設定することができる。これに限らず、各バルーン３２０、３２０’および３２０”のサイズや表示部に表示可能なバルーン数を、ユーザ操作により変更することも可能である。さらに、各バルーン３２０、３２０’および３２０”の色や形状、各バルーン３２０、３２０’および３２０”内に単語を表示する際に用いるフォントを、ユーザ操作により指定することができる。さらにまた、各バルーン３２０、３２０’および３２０”内に表示される単語の長さを制限することもできる。
【００３１】
また、第１の表示領域３０１に同時に表示可能なバルーン数に上限を設けることが好ましい。
【００３２】
図３および図４を用いて、実施形態に係る表示端末１０におけるバルーン表示の例について、より具体的に説明する。なお、以下では、第１の表示領域３０１に同時に表示可能なバルーン数の上限を、３とする。図３（ａ）において、第１の表示領域３０１に対して、３のバルーン３２０ａ、３２０ｂおよび３２０ｃがそれぞれ表示されている。図３（ａ）において矢印で示されるように、各バルーン３２０ａ、３２０ｂおよび３２０ｃは、所定の速度で第１の表示領域３０１の下端側から上端側に向けて移動している。
【００３３】
図３（ｂ）は、図３（ａ）の状態から一定時間が経過した状態の例を示す。すなわち、図３（ｂ）は、時間の経過に伴い、バルーン３２０ａ、３２０ｂおよび３２０ｃの位置が図３（ａ）の状態に比べて第１の表示領域３０１の上端側に移動している様子を示している。
【００３４】
ここで、図３（ｂ）の状態において、表示端末１０に対するユーザ操作によりバルーン３２０ｂが指定された場合について説明する。例えば、表示端末１０に接続されたマウスなどのポインティングデバイスを用いて、第１の表示領域３０１内のバルーン３２０ｂの表示を、クリック操作などにより指定する。この場合、図３（ｃ）に例示されるように、指定されたバルーン３２０ｂは、第１の表示領域３０１内において消去され、第２の表示領域３０３内の所定位置に、位置が固定的とされて固定バルーンとして表示される。
【００３５】
この位置が固定的とされたバルーン３２０ｂは、表示端末１０に対する所定のユーザ操作が無い限り、当該所定位置に留まる。例えば、ユーザは、第１の表示領域３０１に表示される各バルーン３２０ａ、３２０ｂおよび３２０ｃのうち、気になる単語が表示されるバルーン（例えばバルーン３２０ｂ）を指定する。これにより、当該バルーン３２０ｂの表示が第２の表示領域３０３内に固定され、当該バルーン３２０ｂ内に表示される単語を、お気に入りとして表示端末１０に記憶させることが可能である。
【００３６】
また、表示端末１０は、ユーザ操作により指定されたバルーン３２０ｂ上に表示される単語にリンク情報（例えばＵＲＬ）が関連付けられている場合には、当該リンク先にアクセスするように制御することが可能である。例えば、表示端末１０にＷｅｂブラウザが搭載され、ユーザ操作により指定されたバルーン３２０ｂに表示されている単語にリンク情報が関連付けられているものとする。この場合、表示端末１０は、指定されたバルーン３２０ｂに関連付けられたＵＲＬをＷｅｂブラウザに渡して、Ｗｅｂブラウザ上にＵＲＬにより示される情報を表示させる。
【００３７】
表示端末１０は、バルーン３２０ｂの第２の表示領域３０３への移動に伴い第１の表示領域３０１内からバルーン３２０ｂが消去されると、サーバ２０に対して次の単語を要求し、要求した単語が表示されるバルーン３２０ｄの画像を生成する。生成されたバルーン３２０ｄの画像は、図３（ｃ）に例示されるように、第１の表示領域３０１の下端よりさらに下方向の、第１の表示領域３０１外に初期位置を設定される。すなわち、新たに生成されたバルーン３２０ｄは、初期状態では、表示端末１０の表示部に表示されない。
【００３８】
バルーン３２０ｄは、第１の表示領域３０１外に設定された初期位置から、第１の表示領域３０１の上端側に向けて所定の速度で移動される。図４（ａ）は、この移動により、バルーン３２０ｄの一部が第１の表示領域３０１内に入り、当該一部が第１の表示領域３０１内に表示された例を示す。なお、バルーン３２０ａおよび３２０ｃは、上述のバルーン３２０ｂのユーザ操作に応じた指定に関わらず、所定速度で上端側に向けて移動を続けている。
【００３９】
この図４（ａ）の状態で、第２の表示領域３０３内の所定位置に位置を固定的とされて表示されるバルーン３２０ｂを、表示端末１０に対するユーザ操作により再び指定した場合について説明する。この場合、図４（ｂ）に例示されるように、指定されたバルーン３２０ｂは、第２の表示領域３０３内で、第１の表示領域３０１内に表示される他のバルーン３２０ａ、３２０ｃおよび３２０ｄと同様に、第２の表示領域３０３の所定位置から上端側に向けて、所定速度で移動を開始する。
【００４０】
表示端末１０は、このバルーン３２０ｂが第２の表示領域３０３外に移動した場合には、サーバ２０に対して次の単語の要求を行わない。したがって、バルーン３２０ｂが第２の表示領域３０３外に移動して消去された場合には、新たなバルーンは生成されない。このように、表示領域外に移動しても次の単語の要求を行わないバルーンを、リクエスト非要求モードのバルーンと呼ぶ。また、表示領域外に出た際に次の単語の要求を行うバルーンを、リクエスト要求モードのバルーンと呼ぶ。
【００４１】
各バルーンは、生成された時点の初期状態では、リクエスト要求モードとされている。第２の表示領域３０３に移動され位置が固定的とされたバルーンは、リクエスト非要求モードとされる。
【００４２】
また、第１の表示領域３０１の各バルーン３２０ａおよび３２０ｃと、図４（ａ）の状態で第１の表示領域３０１外にあったバルーン３２０ｄは、上述した、ユーザ操作に応じた第２の表示領域３０３内のバルーン３２０ｂに対する指定に関わらず、所定速度で上端側に向けて移動を続ける。その結果、図４（ｂ）に例示されるように、バルーン３２０ｄが第１の表示領域３０１内に出現し、図４（ａ）の状態で最も上部に表示されていたバルーン３２０ａは、一部が第１の表示領域３０１外に出てしまい、当該一部が表示されない状態となる。
【００４３】
この図４（ｂ）の状態からさらに各バルーン３２０ａ、３２０ｃおよび３２０ｄが移動すると、バルーン３２０ａの全体が第１の表示領域３０１外に出てしまい、バルーン３２０ａが第１の表示領域３０１から消去される。表示端末１０は、リクエスト要求モードのバルーン３２０ａが消去されたため、サーバ２０に対して次に単語を要求し、要求した単語が取得されると、取得された単語を表示するための新たなバルーンが生成される。
【００４４】
なお、上述した図３（ｃ）の例では、第１の表示領域３０１内にはバルーン３２０ａおよび３２０ｃの２のバルーンのみが表示されている。ここで、新たに生成されたバルーン３２０ｄは、時間の経過に伴い移動し、図４（ａ）などに示されるように、既に第１の表示領域３０１内に表示されているバルーン３２０ａおよび３２０ｃと同時に表示される可能性がある。そのため、上述したバルーン数の上限は、既に第１の表示領域３０１内に表示されているバルーン数と、第１の表示領域３０１外に座標を設定されたバルーン数との合計数に適用することが好ましい。
【００４５】
上述では、各バルーン３２０ａ〜３２０ｄが直線的に移動するように説明したが、実際には、表示端末１０は、蛇行しながら移動するように、各バルーン３２０ａ〜３２０ｄの表示制御を行う。すなわち、図５に例示されるように、各バルーン３２０ａ〜３２０ｄは、直線状の軌道４００に対して所定の幅およびタイミングで左右に振れる軌道４０１に従い移動する。各バルーン３２０ａ〜３２０ｄは、軌道４０１に従い移動することで、恰も風船が上昇するよう表現される。これにより、ユーザは、各バルーン３２０ａ〜３２０ｄを画面上でより容易に認識することができる。
【００４６】
なお、各バルーン３２０ａ〜３２０ｄ内に表示される文字列は、１の単語であることが望ましい。すなわち、各バルーン３２０ａ〜３２０ｄ内に表示する情報を冗長化しないことで、当該情報に対する解釈の範囲が広がり、ユーザが当該情報に基づき発想をより自由に持てるようになることが期待できる。
【００４７】
また、上述では、各バルーン３２０ａ〜３２０ｄが表示領域の下端側から上端側に向けて、垂直方向に移動するように説明したが、各バルーン３２０ａ〜３２０ｄの移動方向は、この例に限定されない。すなわち、各バルーン３２０ａ〜３２０ｄを、表示領域の上端側から下端側に向けて、また、左右端のうち一端から他端に向けて、水平方向に移動させてもよい。さらに、各バルーン３２０ａ〜３２０ｄを、斜め方向に移動させてもよいし、各バルーン３２０ａ〜３２０ｄそれぞれで異なる移動方向および速度としてもよい。移動の軌道を各バルーン３２０ａ〜３２０ｄで異ならせてもよい。
【００４８】
次に、上述した、実施形態による、入力文字列に応じた単語を取得し、バルーンとして表示するための構成について、より詳細に説明する。
【００４９】
図６は、実施形態に係る表示端末１０の機能を示す一例の機能ブロック図である。図６において、表示端末１０は、入力部１００と、操作受付部１０１と、文字列取得部１０２と、送信部１０３と、受信部１０４と、表示制御部１０５と、タイマ１０６とを含む。
【００５０】
これら入力部１００、操作受付部１０１、文字列取得部１０２、送信部１０３、受信部１０４、表示制御部１０５およびタイマ１０６は、表示端末１０が有するＣＰＵ上で動作するプログラムにより実現される。これに限らず、これら入力部１００、操作受付部１０１、文字列取得部１０２、送信部１０３、受信部１０４、表示制御部１０５およびタイマ１０６のうち一部または全部を、互いに協働して動作するハードウェアにより構成してもよい。
【００５１】
入力部１００は、例えば表示端末１０が備えるキーボードに対してなされたユーザ入力を受け付ける。操作受付部１０１は、例えば表示端末１０が備えるポインティングデバイス（マウスなど）を用いてなされたユーザ操作を受け付ける。
【００５２】
文字列取得部１０２は、入力部１００が受け付けたユーザ入力に応じた文字列を取得する。例えば、表示端末１０が、入力部１００に受け付けられたユーザ入力（キー入力）を漢字かな交じりの日本語の文字列に変換する日本語変換プログラムを搭載している場合、日本語変換プログラムで変換された文字列を取得する。例えば、文字列取得部１０２は、日本語変換プログラムにおいて変換を確定するための確定操作をトリガとして、文字列を取得する。また、文字列取得部１０２は、英文入力など、日本語変換プログラムを用いない場合、スペース入力など、所定のキー操作をトリガとして文字列を取得することが考えられる。
【００５３】
送信部１０３は、指定された送信先に対して、ネットワークを介して情報を送信する。また、受信部１０４は、ネットワークを介して送信された情報を受信する。タイマ１０６は、時間を計測する。
【００５４】
表示制御部１０５は、実施形態に係る全体表示領域３００の表示を制御する。すなわち、表示制御部１０５は、例えば実施形態に係る表示プログラムに従い、第１の表示領域３０１および第２の表示領域３０３の表示や、これら第１の表示領域３０１および第２の表示領域３０３内に表示される各バルーン３２０ａ〜３２０ｄの表示を制御するための表示制御情報を生成する。
【００５５】
各バルーン３２０ａ〜３２０ｄの表示を制御するための表示制御情報は、各バルーン３２０ａ〜３２０ｄの座標、サイズ、色、後述する軌道パターンなどを含む。
【００５６】
図７は、実施形態に係るサーバ２０の機能を示す一例の機能ブロック図である。図７において、サーバ２０は、受信部２００と、抽出部２０１と、関連情報取得部２０２と、関連情報選択部２０３と、送信部２０４とを含む。これら受信部２００、抽出部２０１、関連情報取得部２０２、関連情報選択部２０３および送信部２０４は、サーバ２０を構成する情報処理システム上で動作するプログラムにより実現される。これら受信部２００、抽出部２０１、関連情報取得部２０２、関連情報選択部２０３および送信部２０４のうち一部または全部を、互いに協働して動作するハードウェアにより構成してもよい。
【００５７】
受信部２００は、ネットワークを介して送信された情報を受信する。送信部２０４は、指定された送信先に対して、ネットワークを介して情報を送信する。
【００５８】
抽出部２０１は、文字列を例えば形態素解析を用いて解析して、文字列中に含まれる単語を抽出する。関連情報取得部２０２は、抽出部２０１に抽出された単語をキーワードとして関連情報検索サービス３０に送信して関連情報を要求し、当該要求に応じて関連情報検索サービス３０から送信された関連情報を取得する。ここで、関連情報検索サービス３０から取得される関連情報は、上述したように、１以上の単語を含む。また、関連情報は、各単語から参照される各リンク情報（例えばＵＲＬ）をさらに含めることができる。
【００５９】
関連情報選択部２０３は、関連情報取得部２０２が文字列に応じて取得した１以上の単語から、例えばランダムに１の単語を選択する。
【００６０】
図８は、実施形態に係る情報表示システム１の一例の動作を示すシーケンスチャートである。なお、図８において、上述した図１と共通する部分には同一の符号を付して、詳細な説明を省略する。なお、以下では、表示端末１０は、入力部１００に受け付けられたユーザ入力を、日本語変換プログラムを用いて文字列に変換するものとして説明する。
【００６１】
表示端末１０において、文字列取得部１０２は、ステップＳ１０で、入力部１００に対するユーザ入力に応じた文字列が連続的に取得されているか否かを判定する。文字列取得部１０２は、文字列が連続的に取得されたと判定した場合、処理をステップＳ１０に戻す。一方、文字列取得部１０２は、文字列が連続的に取得されないと判定した場合、処理をステップＳ１１に移行させる。
【００６２】
一例として、文字列取得部１０２は、入力部１００や操作受付部１０１に対して、ユーザ入力が変換された文字列を確定する確定操作がなされた場合に、確定された文字列を日本語変換プログラムから受け取る。例えば、文字列取得部１０２は、前回文字列が取得されたタイミングからの経過時間をタイマ１０６を用いて計測し、当該経過時間が予め定められた第１の時間（例えば５秒）に達する前に新たな文字列が取得された場合に、文字列が連続的に取得されたと判定する。
【００６３】
なお、第１の時間は、ユーザの思考が一時的に停止したと見做すことが可能な程度の時間とすることが好ましい。これにより、表示端末１０は、恰も、文字入力を行っているユーザが考えに詰まったような場合に処理が次のステップＳ１１に移行されるように、制御できる。
【００６４】
表示端末１０において、送信部１０３は、ステップＳ１１で、文字列取得部１０２が取得した文字列をサーバ２０に対して送信する。例えば、送信部１０３は、ステップＳ１０の判定時において、確定操作より確定された文字列をサーバ２０に送信することが考えられる。これに限らず、送信部１０３は、ステップＳ１１で、ユーザ入力により生成された文字列のうちサーバ２０に未送信の文字列を全てサーバ２０に送信してもよい。
【００６５】
表示端末１０から送信された文字列は、ネットワークを介してサーバ２０に到達し（ステップＳ１２）、サーバ２０において受信部２００に受信される。受信部２００は、受信した文字列を抽出部２０１に渡す。サーバ２０において、抽出部２０１は、ステップＳ１３で、受信部２００から渡された文字列から、例えば形態素解析などの既知の技術を用いて単語を検出し、検出した単語をキーワードとして抽出する。このとき、抽出部２０１は、文字列から１以上の単語を検出し、それぞれキーワードとして抽出することができる。抽出部２０１は、文字列から抽出したキーワードを関連情報取得部２０２に渡す。
【００６６】
関連情報取得部２０２は、抽出部２０１から渡されたキーワードに基づき、当該キーワードに関連する関連情報を取得する。実施形態では、関連情報取得部２０２は、抽出部２０１から渡されたキーワードを、関連情報検索サービス３０に送信する（ステップＳ１４）。
【００６７】
関連情報検索サービス３０は、ステップＳ１５で、サーバ２０から送信されたキーワードに基づき、当該キーワードに関連する関連情報を探索する。例えば、関連情報検索サービス３０は、上述したように、インターネット上から、キーワードをハイパーリンク文字列として含むブログ文書を探索し、そのハイパーリンク文字列が参照する参照先におけるハイパーリンク文字列を、関連情報が含む特定の単語として抽出することができる。この方法によれば、関連情報検索サービス３０は、サーバ２０から送信されたキーワードとは異なる単語を関連情報として抽出可能である。
【００６８】
なお、関連情報検索サービス３０は、関連情報として、ハイパーリンク文字列が指し示すリンク情報（例えばＵＲＬ）を含めることができる。この場合、例えば、１のキーワードに対応する関連情報は、ハイパーリンク文字列と当該ハイパーリンク文字列が指し示すリンク情報（ＵＲＬ）との組を１以上含む。これに限らず、当該ハイパーリンク文字列を含む文全体や、当該ハイパーリンク文字列を含む文書全体を、関連情報にさらに含めてもよい。
【００６９】
関連情報検索サービス３０は、抽出した関連情報を、サーバ２０に送信する（ステップＳ１６）。サーバ２０において、受信部２００は、関連情報検索サービス３０から送信された関連情報を受信し、関連情報取得部２０２に渡す。このようにして、関連情報取得部２０２は、表示端末１０から受信した文字列に関連する関連情報を取得することができる（ステップＳ１７）。関連情報取得部２０２は、取得した関連情報を記憶する。
【００７０】
関連情報取得部２０２は、ステップＳ１７で関連情報を取得すると、関連情報の取得が完了した旨を表示端末１０に通知する（ステップＳ１８）。表示端末１０は、この通知を受信すると、サーバ２０に対して第１の表示領域３０１にバルーンとして表示させるための単語を要求する（ステップＳ１９）。
【００７１】
より具体的には、表示端末１０において、サーバ２０から完了通知が受信部１０４に受信され、表示制御部１０５に渡される。表示制御部１０５は、必要に応じて、バルーンに表示させるための単語をサーバ２０に要求する（ステップＳ１９）。サーバ２０は、この要求に応じて、１の単語を表示端末１０に送信する（ステップＳ２０）。
【００７２】
表示端末１０から送信された単語の要求は、サーバ２０において受信部２００に受信され、関連情報選択部２０３に渡される。関連情報選択部２０３は、関連情報取得部２０２に一時的に記憶される関連情報に含まれる特定の単語から１の単語を例えばランダムに選択する。関連情報選択部２０３は、選択した単語を、送信部２０４に渡す。送信部２０４は、関連情報選択部２０３から渡された単語を、表示端末１０に向けて送信する。
【００７３】
例えば、表示制御部１０５は、既に第１の表示領域３０１内に表示されているバルーン数と、第１の表示領域３０１外に座標が設定されているバルーン数との合計が、第１の表示領域３０１に同時に表示可能なバルーン数の上限未満である場合に、サーバ２０に対して単語の要求を行うことが考えられる。
【００７４】
一例として、図３（ｂ）および図３（ｃ）を用いて説明したように、第１の表示領域３０１内のバルーン３２０ｂがユーザ操作により指定され、当該バルーン３２０ｂが第１の表示領域３０１から消去され第２の表示領域３０３内に表示された場合、第１の表示領域３０１内に表示されるバルーン数は２であり、バルーン数の上限の３未満である。この場合、表示制御部１０５は、サーバ２０に対して１の単語を要求する。
【００７５】
別の例として、図４（ｂ）に例示されるバルーン３２０ａは、時間の経過に伴い第１の表示領域３０１外に出てしまい、第１の表示領域３０１から消去される。一方、その時点で、第１の表示領域３０１内には、バルーン３２０ｃおよび３２０ｄの２のバルーンが表示されている状態となる。この場合も、表示制御部１０５は、サーバ２０に対して１の単語を要求する。
【００７６】
なお、表示端末１０からサーバ２０に単語の要求が送信された場合に、関連情報取得部２０２が単語を記憶していない場合が有り得る。この場合、サーバ２０から表示端末１０に対して、エラーが通知される。これに限らず、サーバ２０から表示端末１０に対して、送信すべき単語が無い旨を通知してもよい。表示端末１０において、表示制御部１０５は、この通知に応じて、表示すべき単語が見つからなかった旨を示す情報が表示されたバルーンを生成してもよいし、バルーンそのものを生成しないようにしてもよい。
【００７７】
次に、図９〜図１２のフローチャートを用いて、実施形態に係る表示端末１０の表示制御部１０５におけるバルーン表示処理について、より詳細に説明する。以下では、特に記載の無い限り、第１の表示領域３０１に表示される各バルーン３２０ａ〜３２０ｃ（図３（ａ）の場合）を、単にバルーンとして代表させて説明する。
【００７８】
図９は、実施形態に係る、バルーンの、第１の表示領域３０１内に対する表示・非表示の制御の例を示すフローチャートである。表示制御部１０５は、この図９のフローチャートによる表示制御を、第１の表示領域３０１内に表示される各バルーンそれぞれについて実行する。
【００７９】
表示制御部１０５は、ステップＳ１００で、バルーンを非表示状態に設定する。この非表示状態の設定では、バルーンは、第１の表示領域３０１内に座標が指定されている場合であっても、第１の表示領域３０１内に表示されない。次のステップＳ１０１で、表示制御部１０５は、入力部１００に対して連続して入力がなされているか否かを判定する。例えば、表示制御部１０５は、入力部１００が入力を受け付けた間隔が所定未満の時間である場合に、連続して入力がなされていると判定する。
【００８０】
表示制御部１０５は、ステップＳ１０１で、連続して入力がなされたと判定した場合、処理をステップＳ１００に戻す。一方、表示制御部１０５は、ステップＳ１０１で連続して入力がなされなかった、すなわち、入力が途切れたと判定した場合、処理をステップＳ１０２に移行させる。表示制御部１０５は、ステップＳ１０２で、バルーンを表示状態に設定する。この表示状態では、バルーンは、第１の表示領域３０１内に表示される。
【００８１】
表示制御部１０５は、ステップＳ１０２でバルーンを表示状態に設定した後、処理をステップＳ１０１に戻す。
【００８２】
この図９のフローチャートの制御によれば、各バルーンは、ユーザがキーボードなどにより文字入力を行っている最中は第１の表示領域３０１内に表示されず、文字入力が途絶えた場合に、第１の表示領域３０１内に表示されるようになる。この制御により、各バルーンの表示がユーザの入力を妨げる事態を回避することができる。
【００８３】
図１０は、実施形態に係る、各バルーンの表示設定処理の例を示すフローチャートである。この図１０のフローチャートによる処理は、例えば図３（ｃ）のバルーン３２０ｄのように、新たなバルーンが生成された際に表示制御部１０５により実行される処理である。なお、図１０のフローチャートに先立って、設定対象のバルーンは、予め表示させる単語が設定されているものとする。
【００８４】
表示制御部１０５は、ステップＳ１１０で、バルーンの初期座標(ｘ0，ｙ0)を設定する。なお、座標(ｘ，ｙ)は、全体表示領域３００の左下隅を座標(０，０)とし、垂直方向に向けて座標ｙが増加し、水平右側に向けて座標ｘが増加するものとする。ステップＳ１１０では、初期座標(ｘ0，ｙ0)のうち座標ｙ0を負の値とし、バルーンの初期位置を第１の表示領域３０１外とする。また、初期座標(ｘ0，ｙ0)のうち座標ｘ0は、第１の表示領域３０１の水平方向の範囲内でランダムに設定可能である。この場合、例えば既に第１の表示領域３０１内に表示されている他のバルーンと水平方向で重ならない値を選択すると好ましい。
【００８５】
表示制御部１０５は、次のステップＳ１１１で、バルーンの垂直方向の移動速度ｖを設定する。バルーンは、この移動速度ｖと、第１の表示領域３０１の垂直方向のサイズとにより決まる時間を上限として、第１の表示領域３０１内に表示されることになる。
【００８６】
表示制御部１０５は、次のステップＳ１１２で、バルーンが移動する際の軌道パターンを設定する。例えば、表示制御部１０５は、図５に軌道４０１として示したように、蛇行する軌道パターンを設定することができる。この場合、表示制御部１０５は、蛇行における左右の振れ幅や、蛇行の周期をさらに設定することができる。また、軌道パターンは、蛇行に限られない。例えば、軌道パターンとしてさらに複雑な軌道を指定してもよいし、直線を設定することもできる。また、第１の表示領域３０１内の任意の位置にバルーンを出現させ、予め定められた時間以内に当該バルーンを消去させる制御を、軌道パターンとしてもよい。
【００８７】
表示制御部１０５は、ステップＳ１１０〜ステップＳ１１２の各設定が完了すると、各設定に従って、新規生成したバルーンの表示を開始する（ステップＳ１１３）。すなわち、表示制御部１０５は、当該バルーンを、ステップＳ１１０で設定された初期座標(ｘ0，ｙ0)から、ステップＳ１１１で設定された垂直方向の移動速度ｖで、ステップＳ１１２で設定された軌道パターンに従って移動させながら表示を行うように制御する。
【００８８】
なお、ステップＳ１１０〜ステップＳ１１２で設定される各設定値は、図１０のフローチャートを実行するための表示プログラムに埋め込んでおいてもよいし、入力部１００に対するユーザ入力などにより予め設定するようにもできる。
【００８９】
図１１は、実施形態に係る、新規バルーンの生成処理の例を示すフローチャートである。表示制御部１０５は、ステップＳ１２０で、全体表示領域３００外に出たバルーンが存在するか否かを判定する。存在しないと判定した場合、処理をステップＳ１２０に戻す。一方、表示制御部１０５は、ステップＳ１２０で、全体表示領域３００外に出たバルーンが存在すると判定した場合、処理をステップＳ１２１に移行させる。
【００９０】
表示制御部１０５は、ステップＳ１２１で、全体表示領域３００外に出たバルーンが、固定バルーンか否かを判定する。ここでは、表示制御部１０５は、当該バルーンが第１の表示領域３０１および第２の表示領域３０３のうち、何れから外に出たかを検出する。表示制御部１０５は、当該バルーンが第２の表示領域３０３から外に出たバルーンであると検出した場合、当該バルーンが固定バルーンであると判定し、処理をステップＳ１２５に移行させる。
【００９１】
表示制御部１０５は、ステップＳ１２５で、当該バルーンを削除して一連の処理を終了させる。ここで、バルーンの削除とは、そのバルーンが表示領域外に出た場合に、新規バルーンの作成を行わないことをいう。
【００９２】
なお、表示制御部１０５は、ステップＳ１２１の判定を、全体表示領域３００外に出たバルーンがリクエスト要求モードおよびリクエスト非要求モードの何れのモードのバルーンであるかを判定することで行ってもよい。
【００９３】
表示制御部１０５は、ステップＳ１２１で、当該バルーンが第１の表示領域３０１から外に出たバルーンであると検出した場合、当該バルーンが固定バルーンではないと判定し、処理をステップＳ１２２に移行させる。表示制御部１０５は、ステップＳ１２２で、サーバ２０に対して、バルーンに表示させるための単語を要求する。この要求は、送信部１０３によりサーバ２０に送信される（図８のステップＳ１９参照）。
【００９４】
要求に応じてサーバ２０から送信された単語は（図８のステップＳ２０参照）、受信部１０４に受信される。表示制御部１０５は、ステップＳ１２３で、受信部１０４からこの単語を取得し、取得した単語を、バルーンに対して設定する。そして、次のステップＳ１２４で、表示制御部１０５は、単語が設定されたバルーンに対して、上述した図１０の処理に従い各設定を行い、バルーンの生成および表示を行う。そして、処理がステップＳ１２０に戻される。
【００９５】
図１２は、第１の表示領域３０１に表示されるバルーンを指定して固定バルーンとする場合の一例の処理を示すフローチャートである。表示制御部１０５は、ステップＳ１３０で、第１の表示領域３０１内に表示される各バルーンのうち何れかのバルーンが指定されたか否かを判定する。例えば、表示制御部１０５は、操作受付部１０１に対して第１の表示領域３０１内に表示される各バルーンのうち何れかのバルーンを指定する操作が受け付けられたか否かを判定する。表示制御部１０５は、ステップＳ１３０で、バルーンの指定がなされていないと判定した場合、処理をステップＳ１３０に戻す。一方、表示制御部１０５は、ステップＳ１３０でバルーンの指定がなされたと判定した場合、処理をステップＳ１３１に移行させる。
【００９６】
表示制御部１０５は、ステップＳ１３１で、ステップＳ１３０で指定されたバルーン（指定バルーンとする）の移動速度ｖを０に設定し、次のステップＳ１３２で、指定バルーンの座標(ｘ，ｙ)を、固定バルーンの位置として予め定められた座標に設定する。ここでは、指定バルーンの座標(ｘ，ｙ)を、全体表示領域３００の右下隅（第２の表示領域３０３の下端部）の座標とする。勿論、指定バルーンの座標は、全体表示領域３００の右下隅に限定されない。これらステップＳ１３１およびステップＳ１３２の処理により、指定バルーンが第２の表示領域３０３の所定位置（下端部）に、固定的に表示される。
【００９７】
次のステップＳ１３３で、表示制御部１０５は、指定バルーンに表示される単語をキーワードとして、当該単語に関連する関連情報の取得を要求する。この要求は、送信部１０３からサーバ２０に送信される。サーバ２０は、この要求に応じて、図８のステップＳ１４〜ステップＳ１７の処理に従い関連情報検索サービス３０から当該単語に関連する関連情報を取得し、記憶する。
【００９８】
表示制御部１０５は、次のステップＳ１３４で、指定バルーンをリクエスト非要求モードのバルーンに設定する。そして、次のステップＳ１３５で、新規バルーンを生成して、第１の表示領域３０１内に表示されるバルーンを１個増やす。すなわち、表示制御部１０５は、サーバ２０に対してバルーンに表示すべき単語を要求し、要求に応じてサーバ２０から送信された単語を新規バルーンに対して設定する。ここでサーバ２０から送信される単語は、入力部１００に対するユーザ入力に応じて取得された単語と、上述のステップＳ１３３の処理により取得された単語とから選択することができる。そして、上述した図１０の処理に従い新規バルーンに対して各設定を行い、新規バルーンの表示を開始する。
【００９９】
図１３は、実施形態に適用可能な表示端末１０の一例の構成を示す。図１３において、表示端末１０は、バス１００１に対してＣＰＵ１００２、ＲＯＭ１００３、ＲＡＭ１００４および表示制御部１００５が接続される。また、バス１００１に対して、ストレージ１００７、データＩ／Ｆ１００８、入力部１００９および通信Ｉ／Ｆ１０１０が接続される。ストレージ１００７は、データを不揮発に記憶することが可能な記憶媒体であって、例えばフラッシュメモリなどの不揮発性の半導体メモリや、ハードディスクドライブを適用できる。
【０１００】
ＣＰＵ１００２は、ＲＯＭ１００３およびストレージ１００７に記憶されるプログラムに従い、ＲＡＭ１００４をワークメモリとして用いて、この表示端末１０の全体を制御する。表示制御部１００５は、ＣＰＵ１００２により生成された表示制御信号を、表示装置１００６が表示可能な信号に変換して出力する。表示装置１００６は、上述した全体表示領域３００の画面が表示される。
【０１０１】
ストレージ１００７は、上述のＣＰＵ１００２が実行するためのプログラムや、コンテンツデータなど各種データが格納される。データＩ／Ｆ１００８は、外部からのデータの入力を行う。データＩ／Ｆ１００８としては、例えば、ＵＳＢ(Universal  Serial  Bus)やＩＥＥＥ１３９４(Institute  of  Electrical  and  Electronics  Engineers  1394)などによるインタフェースを適用することができる。また、通信Ｉ／Ｆ１０１０は、インターネットなどのネットワークによる通信を制御する。
【０１０２】
入力部１００９は、ユーザ入力を受け付けて所定の制御信号を出力する入力デバイスを含む。入力デバイスとしては、キーボードや、マウスなどのポインティングデバイスが適用できる。ユーザは、例えば表示装置１００６に対する表示に応じて入力デバイスを操作することで、表示端末１０に対して指示を出すことができる。
【０１０３】
上述した入力部１００、操作受付部１０１、文字列取得部１０２、送信部１０３、受信部１０４、表示制御部１０５およびタイマ１０６の各機能は、ＣＰＵ１００２上で動作する表示プログラムによって実現される。この表示プログラムは、表示端末１０が通信可能なネットワークに接続されたコンピュータ上に格納し、このネットワーク経由でダウンロードさせることにより提供するように構成することができる。また、この表示プログラムを、ネットワーク経由で提供または配布するように構成してもよい。表示プログラムのうち一部または全部を、ＲＯＭ１００３に予め記憶させて提供することも考えられる。
【０１０４】
これに限らず、表示プログラムは、インストール可能な形式または実行可能な形式のファイルでＣＤ(Compact  Disk)、ＤＶＤ(Digital  Versatile  Disk)などのコンピュータで読み取り可能な記録媒体に記録して提供してもよい。この場合、記録媒体に記録された端末用プログラムは、例えばデータＩ／Ｆ１００８に接続された外部のドライブ装置を介して表示端末１０に供給される。これに限らず、記録媒体に記録された端末用プログラムを、パーソナルコンピュータなど他の情報処理装置上に一旦記憶させ、この他の情報処理装置から通信Ｉ／Ｆ１０１０やデータＩ／Ｆ１００８を介した通信により、表示端末１０に供給してもよい。
【０１０５】
表示プログラムは、例えば、上述した各部（入力部１００、操作受付部１０１、文字列取得部１０２、送信部１０３、受信部１０４、表示制御部１０５およびタイマ１０６）を含むモジュール構成となっており、実際のハードウェアとしてはＣＰＵ１００２が例えばストレージ１００７から端末用プログラムを読み出して実行することにより上記各部が主記憶装置（例えばＲＡＭ１００４）上にロードされ、各部が主記憶装置上に生成されるようになっている。
【０１０６】
なお、上述の実施形態は、本発明の好適な実施の例ではあるがこれに限定されるものではなく、本発明の要旨を逸脱しない範囲において種々の変形による実施が可能である。
【符号の説明】
【０１０７】
１  情報表示システム
１０  表示端末
２０  サーバ
３０  関連情報検索サービス
１００  入力部
１０１  操作受付部
１０２  文字列取得部
１０３，２０４  送信部
１０４，２００  受信部
１０５  表示制御部
１０６  タイマ
２０１  抽出部
２０２  関連情報取得部
２０３  関連情報選択部
３００  全体表示領域
３０１  第１の表示領域
３０３  第２の表示領域
３２０，３２０’，３２０”，３２０ａ，３２０ｂ，３２０ｃ，３２０ｄ  バルーン
３２１，３２１’，３２１”  単語
４００，４０１  軌道
【先行技術文献】
【特許文献】
【０１０８】
【特許文献１】特許第４１５２６６９号公報
【図１】
2015138468.tif 000003
【図２】
2015138468.tif 000004
【図３】
2015138468.tif 000005
【図４】
2015138468.tif 000006
【図５】
2015138468.tif 000007
【図６】
2015138468.tif 000008
【図７】
2015138468.tif 000009
【図８】
2015138468.tif 000010
【図９】
2015138468.tif 000011
【図１０】
2015138468.tif 000012
【図１１】
2015138468.tif 000013
【図１２】
2015138468.tif 000014
【図１３】
2015138468.tif 000015